(57)【要約】【課題】貨幣処理機システムの仕様変更時に、貨幣処理機に対する変更のみで容易にシステムの変更を行うことが可能な貨幣処理機を提供する【解決手段】本発明の貨幣処理機は、通信網に接続可能な通信インタフェース部と、前記通信網に接続された端末装置によって前記貨幣処理機の制御を指示するための指示用データを生成し、前記指示用データを前記通信インタフェース部を用いて送信するウェブサーバ部とを備えている。前記指示用データは、前記端末装置が備えるウェブブラウザにより閲覧可能なデータ形式をしており、前記ウェブサーバ部は、前記ウェブブラウザからのブラウジング要求を受け付け、要求元のウェブブラウザに対して前記指示用データを送信する。なおこのとき、前記ウェブサーバ部は、ＨＴＴＰプロトコル、或いはＨＴＴＰＳプロトコルに則って前記指示用データを送信する。【選択図】図３
2008310552.tif 000002
【特許請求の範囲】
【請求項１】
貨幣を処理する貨幣処理機において、
通信網に接続可能な通信インタフェース部と、
前記通信網に接続された端末装置によって前記貨幣処理機の制御を指示するための指示用データを生成し、前記指示用データを前記通信インタフェース部を用いて送信するウェブサーバ部と、
を備えたことを特徴とする貨幣処理機。
【請求項２】
前記指示用データは、前記端末装置が備えるウェブブラウザにより閲覧可能なデータ形式をしており、
前記ウェブサーバ部は、前記ウェブブラウザからの閲覧要求を受け付けて、要求元の前記ウェブブラウザに対して前記指示用データを送信すること
を特徴とする請求項１に記載の貨幣処理機。
【請求項３】
前記ウェブサーバ部は、ＨＴＴＰ（Hypertext Transfer Protocol）プロトコル、或いは前記ＨＴＴＰプロトコルにデータの暗号化機能を付加したＨＴＴＰＳ（Hypertext Transfer Protocol Security）プロトコルにより前記指示用データを送信すること
を特徴とする請求項２に記載の貨幣処理機。
【請求項４】
前記ウェブサーバ部は、貨幣取引に関する前記指示用データを送信し、前記指示用データに対する返信に基づいて貨幣取引処理を行う貨幣取引処理機能を備えていること
を特徴とする請求項２に記載の貨幣処理機。
【請求項５】
前記貨幣取引処理機能は、
貨幣を入金する入金処理機能と、
貨幣を出金する出金処理機能と、
前記出金処理機能により出金される貨幣の補充する補充処理機能と、
前記貨幣処理機内の貨幣を回収する回収処理機能との少なくとも一つを含んでいること
を特徴とする請求項４に記載の貨幣処理機。
【請求項６】
前記ウェブサーバ部は、
前記貨幣処理機が記憶している各種情報のうち、
前記貨幣処理機内の貨幣残高を示す貨幣残高情報と、
貨幣取引の履歴を示す取引履歴情報と、
前記貨幣処理機を動作させるにあたり必要な設定情報との少なくとも一つを取得して前記端末装置に送信する情報表示処理機能を備えていること
を特徴とする請求項２に記載の貨幣処理機。
【請求項７】
前記貨幣処理機は、前記端末装置毎の固有情報を記憶する記憶部を備えていること
を特徴とする請求項２に記載の貨幣処理機。
【請求項８】
前記固有情報は、前記端末装置を個別に識別するために前記端末装置毎に割り当てられた端末識別情報を含んでいること
を特徴とする請求項７に記載の貨幣処理機。
【請求項９】
前記固有情報は、前記端末装置の使用者を特定可能な端末使用者情報を含んでいること
を特徴とする請求項７に記載の貨幣処理機。
【請求項１０】
前記固有情報は、前記端末装置に割り当てられたＩＰアドレスを含んでいること
を特徴とする請求項７に記載の貨幣処理機。
【請求項１１】
前記固有情報は、前記端末装置に固有のＭＡＣアドレスを含んでいること
を特徴とする請求項７に記載の貨幣処理機。
【請求項１２】
前記固有情報は、前記貨幣処理機が備える機能のうち予め定められた一部機能のみを使用可能である一般使用者が使用する端末装置を示す一般使用者情報と、
前記貨幣処理機が備える全ての機能を使用可能である管理者が使用する端末装置を示す管理者情報とに区別されること
を特徴とする請求項７に記載の貨幣処理機。
【請求項１３】
前記記憶部は、前記固有情報に対応したパスワードを記憶しており、
前記端末装置から前記貨幣処理機に対する出金指示がなされた際に、前記貨幣処理機が備える操作部によるパスワード入力の要求を行い、前記記憶部に記憶されているパスワードと前記操作部により入力されたパスワードとを比較し、両パスワードが一致した場合に、前記貨幣処理機外への出金貨幣の取り出しを許可する制御部を備えていること
を特徴とする請求項７に記載の貨幣処理機。
【請求項１４】
前記端末装置から前記貨幣処理機に対する出金指示がなされ、且つ前記出金指示に基づいて出金された出金貨幣が予め定められた時間内に前記貨幣処理機外へ取り出されず出金口が封鎖状態となった場合に、前記固有情報が前記管理者情報である端末装置からの指示によって、前記出金貨幣を取り出し可能とするように制御する制御部を備えていること
を特徴とする請求項１２に記載の貨幣処理機。
【請求項１５】
前記固有情報が前記一般使用者情報である端末装置から、役席者承認を必要とする指示を受け付けた場合に、前記固有情報が前記管理者情報である端末装置に対して役席者承認を要求する通知を行い、前記要求に対する承認がなされた場合に前記指示に応じた処理を行う制御部を備えていること
を特徴とする請求項１２に記載の貨幣処理機。
【請求項１６】
前記貨幣処理機は、前記端末装置から前記通信網を通じて受信した第一登録用情報と、前記登録情報を受信してから予め定められた時間内に前記貨幣処理機に入力された第二登録用情報とを比較し、前記第一登録用情報と前記第二登録用情報とが一致した場合に、前記ウェブサーバ部が備える各種機能を前記端末装置にて利用可能とする制御部を備えていること
を特徴とする請求項２に記載の貨幣処理機。
【請求項１７】
各種貨幣取引処理に関する選択や設定を行うための操作部と、
各種処理状況や各種設定情報を表示する表示部と、
前記ウェブサーバ部が提供するデータを閲覧することにより、前記ウェブサーバ部が備える各種機能を利用可能なウェブクライアント部と、
貨幣取引処理と、前記操作部により行われた操作に関連する処理と、前記ウェブクライアント部が閲覧した結果とを前記表示部へ表示する表示処理との制御を行う制御部と、
を備えたことを特徴とする請求項２に記載の貨幣処理機。
【請求項１８】
前記操作部及び前記表示部は、タッチパネル式のディスプレイで構成されていること
を特徴とする請求項１７に記載の貨幣処理機。
【請求項１９】
貨幣を処理する貨幣処理機と、前記貨幣処理機と通信網を介して通信を行う端末装置とを備える貨幣処理機システムにおいて、
前記貨幣処理機が、請求項１〜請求項１８のいずれかに記載の貨幣処理機であることを特徴とする貨幣処理機システム。
【請求項２０】
貨幣を処理する貨幣処理機の制御方法であって、
通信網に接続された端末装置によって前記貨幣処理機の制御を指示するための指示用データを生成する第一ステップと、
前記端末装置が備えるウェブブラウザからの閲覧要求を受け付けて、要求元のウェブブラウザに対して前記指示用データを送信する第二ステップと、
を含み、
前記指示用データは、前記ウェブブラウザにより閲覧可能なデータ形式をしていることを特徴とする制御方法。
【請求項２１】
前記指示用データは、前記貨幣取引処理機が備える貨幣取引処理機能の実行を指示可能なデータであり、
前記貨幣取引処理機能は、
貨幣を入金する入金処理機能と、
貨幣を出金する出金処理機能と、
前記出金処理機能により出金される貨幣の補充する補充処理機能と、
前記貨幣処理機内の貨幣を回収する回収処理機能との少なくとも一つを含むこと
を特徴とする請求項２０に記載の制御方法。
【請求項２２】
前記端末装置が備えるウェブブラウザからの閲覧要求を受け付けて、要求元のウェブブラウザに対して、
前記貨幣処理機内の貨幣残高を示す貨幣残高情報と、
貨幣取引の履歴を示す取引履歴情報と、
前記貨幣処理機を動作させるにあたり必要な設定情報との少なくとも一つを取得して前記端末装置に送信する第三ステップを含むこと
を特徴とする請求項２０に記載の制御方法。
【請求項２３】
前記端末装置から前記通信網を通じて受信した第一登録用情報と、前記登録情報を受信してから予め定められた時間内に前記貨幣処理機に入力された第二登録用情報とを比較し、前記第一登録用情報と前記第二登録用情報とが一致した場合に、前記ウェブサーバ部が備える各種機能を前記端末装置にて利用可能とする第四ステップを含むこと
を特徴とする請求項２０に記載の制御方法。
【発明の詳細な説明】
【技術分野】
【０００１】
本発明は、金融機関等に設置されて使用される貨幣処理機に関するものであり、特に通信網に接続された複数の端末装置から制御可能な貨幣処理機に関する。
【背景技術】
【０００２】
近年、金融機関や交通機関の窓口等において、様々な貨幣処理装置が導入されている。具体的には例えば、銀行等の金融機関において顧客より預かった貨幣の入出金を行う貨幣入出金機がある。この貨幣入出金機は通常、二人の係員（以下、「テラー」と言う）の間に挟まれるように配置され、その両側から紙幣及び硬貨の入出金ができるようになっている。
【０００３】
上記のような貨幣処理機は従来、その制御を行うための端末装置として、メーカー固有の専用機を用いていた。しかし専用機には専用のドライバや独自の通信プロトコルが用いられるため、システムの構築やメンテナンスに手間がかかるという問題があった。また貨幣処理機の仕様変更を行った場合、その仕様変更に応じて端末装置の機能にも変更を加える必要があった。
【０００４】
また、図１７に示すように、従来の貨幣入出金機１００（＝貨幣処理機）は、何れかの一般端末装置１１３（＝端末装置）から入出金処理等が指示されて装置が占有されているかを示すための占有ボタン１０１を備えている。しかし占有ボタン１０１のような排他制御のための部材は、物理的に配設できる数に限界があるため、多くの一般端末装置１１３を貨幣入出金機１００に接続するのが難しいという問題があった。
【０００５】
また従来の貨幣入出金機１００は、出金貨幣の取り忘れ等により出金口が封鎖状態となった場合に、役席者（＝管理者）の承認がなければ封鎖の解除が行えない。これに対しては例えば、図１８に示すように出金時にテラーが使用したＩＤカード１０３を再度ＩＤカードリーダー１０２に認識させることにより、封鎖状態を解除して貨幣の抜取を可能とした貨幣入出金機１００が存在する。しかしこれは、貨幣入出金機１００にＩＤカードリーダー１０２等の読み取り装置を備える必要があり、コストアップにつながる。また、ＩＤカード１０３を再認識させる作業が、テラーにとって手間となるという問題があった。
【０００６】
上記に関連して特許文献１においては、通信回線を介して端末装置を貨幣処理機に何台でも接続可能であり、かつ貨幣処理機が自身の状態に応じて端末装置からの占有依頼に応じるかどうかを判断する端末処理システムが開示されている。これによれば、複数の端末装置からの依頼による処理を支障なく実行することができる。従って、貨幣処理機をあまり必要としない窓口にシステムを設置する場合、一台の貨幣処理機に対して任意の数の端末装置を組み合わせることが可能である。
【０００７】
また上記に関連して特許文献２においては、役席者端末に接続された貨幣処理機であって、役席者の承認が必要な取引時に役席者端末に承認の依頼を送信し、役席者端末から承認の旨の情報を受信して現金の処理を実行する貨幣処理機が開示されている。これによれば、テラーが役席者を探す必要や、役席者が貨幣処理機に出向く必要がなくなり、双方の負担を軽減すると共に処理時間の短縮を図れる。
【特許文献１】特開２０００−３３９５２２号公報
【特許文献２】特開２００３−３０３２８６号公報
【発明の開示】
【発明が解決しようとする課題】
【０００８】
しかしながら、上記特許文献１及び特許文献２の貨幣処理機は、複数台の端末装置の接続や、貨幣取り忘れ時の抜取の承認処理の短縮化は図れるものの、端末装置自体は従来と同じ専用機を用いている。従って貨幣処理機において、端末装置のユーザインタフェースに影響を与える仕様変更、例えばメニュー画面で選択できる機能の追加等が行なわれた場合に、端末装置に搭載するソフトウェアにも変更を加える必要があった。このため仕様変更にかかる作業量が多いという問題があった。
【０００９】
本発明は、上記の問題を鑑みて、貨幣処理機を制御可能な端末装置の台数を任意に決定できると共に、貨幣処理機システムの仕様変更を行う際に、貨幣処理機に対する変更のみで容易にシステムの変更を行うことができる貨幣処理機を提供することを目的とする。又、本発明は、上記の貨幣処理機を用いた貨幣処理機システムを提供することを目的とする。
【課題を解決するための手段】
【００１０】
上記目的を達成するために、本発明の貨幣処理機は、貨幣を処理する貨幣処理機において、通信網に接続可能な通信インタフェース部と、前記通信網に接続された端末装置によって前記貨幣処理機の制御を指示するための指示用データを生成し、前記指示用データを前記通信インタフェース部を用いて送信するウェブサーバ部とを備えたことを特徴とする。
【００１１】
この貨幣処理装置において、前記指示用データは、前記端末装置が備えるウェブブラウザにより閲覧可能なデータ形式をしており、前記ウェブサーバ部は、前記ウェブブラウザからの閲覧要求を受け付けて、要求元の前記ウェブブラウザに対して前記指示用データを送信するものとしても構わない。
【００１２】
このとき、前記ウェブサーバ部は、ＨＴＴＰ（Hypertext Transfer Protocol）プロトコル、或いは前記ＨＴＴＰプロトコルにデータの暗号化機能を付加したＨＴＴＰＳ（Hypertext Transfer Protocol Security）プロトコルにより前記指示用データを送信するものとしても構わない。
【００１３】
また、前記ウェブサーバ部は、貨幣取引に関する前記指示用データを送信し、前記指示用データに対する返信に基づいて貨幣取引処理を行う貨幣取引処理機能を備えているものとしても構わない。
【００１４】
このとき、前記貨幣取引処理機能は、貨幣を入金する入金処理機能と、貨幣を出金する出金処理機能と、前記出金処理機能により出金される貨幣の補充する補充処理機能と、前記貨幣処理機内の貨幣を回収する回収処理機能との少なくとも一つを含んでいるものとしても構わない。
【００１５】
また、前記ウェブサーバ部は、前記貨幣処理機が記憶している各種情報のうち、前記貨幣処理機内の貨幣残高を示す貨幣残高情報と、貨幣取引の履歴を示す取引履歴情報と、前記貨幣処理機を動作させるにあたり必要な設定情報との少なくとも一つを取得して前記端末装置に送信する情報表示処理機能を備えているものとしても構わない。
【００１６】
また、前記貨幣処理機は、前記端末装置毎の固有情報を記憶する記憶部を備えているものとしても構わない。
【００１７】
このとき、前記固有情報は、前記端末装置を個別に識別するために前記端末装置毎に割り当てられた端末識別情報を含んでいるものとしても構わない。
【００１８】
また、前記固有情報は、前記端末装置の使用者を特定可能な端末使用者情報を含んでいるものとしても構わない。
【００１９】
また、前記固有情報は、前記端末装置に割り当てられたＩＰアドレスを含んでいるものとしても構わない。
【００２０】
また、前記固有情報は、前記端末装置に固有のＭＡＣアドレスを含んでいるものとしても構わない。
【００２１】
また、前記固有情報は、前記貨幣処理機が備える機能のうち予め定められた一部機能のみを使用可能である一般使用者が使用する端末装置を示す一般使用者情報と、前記貨幣処理機が備える全ての機能を使用可能である管理者が使用する端末装置を示す管理者情報とに区別されるものとしても構わない。
【００２２】
また、前記記憶部は、前記固有情報に対応したパスワードを記憶しており、前記端末装置から前記貨幣処理機に対する出金指示がなされた際に、前記貨幣処理機が備える操作部によるパスワード入力の要求を行い、前記記憶部に記憶されているパスワードと前記操作部により入力されたパスワードとを比較し、両パスワードが一致した場合に、前記貨幣処理機外への出金貨幣の取り出しを許可する制御部を備えているものとしても構わない。
【００２３】
また、前記端末装置から前記貨幣処理機に対する出金指示がなされ、且つ前記出金指示に基づいて出金された出金貨幣が予め定められた時間内に前記貨幣処理機外へ取り出されず出金口が封鎖状態となった場合に、前記固有情報が前記管理者情報である端末装置からの指示によって、前記出金貨幣を取り出し可能とするように制御する制御部を備えているものとしても構わない。
【００２４】
また、前記固有情報が前記一般使用者情報である端末装置から、役席者承認を必要とする指示を受け付けた場合に、前記固有情報が前記管理者情報である端末装置に対して役席者承認を要求する通知を行い、前記要求に対する承認がなされた場合に前記指示に応じた処理を行う制御部を備えているものとしても構わない。
【００２５】
また、前記貨幣処理機は、前記端末装置から前記通信網を通じて受信した第一登録用情報と、前記登録情報を受信してから予め定められた時間内に前記貨幣処理機に入力された第二登録用情報とを比較し、前記第一登録用情報と前記第二登録用情報とが一致した場合に、前記ウェブサーバ部が備える各種機能を前記端末装置にて利用可能とする制御部を備えているものとしても構わない。
【００２６】
また、各種貨幣取引処理に関する選択や設定を行うための操作部と、各種処理状況や各種設定情報を表示する表示部と、前記ウェブサーバ部が提供するデータを閲覧することにより、前記ウェブサーバ部が備える各種機能を利用可能なウェブクライアント部と、貨幣取引処理と、前記操作部により行われた操作に関連する処理と、前記ウェブクライアント部が閲覧した結果とを前記表示部へ表示する表示処理との制御を行う制御部とを備えているものとしても構わない。
【００２７】
このとき、前記操作部及び前記表示部は、タッチパネル式のディスプレイで構成されているものとしても構わない。
【００２８】
本発明の貨幣処理機システムは、貨幣を処理する貨幣処理機と、前記貨幣処理機と通信網を介して通信を行う端末装置とを備える貨幣処理機システムにおいて、前記貨幣処理機が、上述のいずれかの貨幣処理機であることを特徴とする。
【００２９】
本発明の制御方法は、貨幣を処理する貨幣処理機の制御方法であって、通信網に接続された端末装置によって前記貨幣処理機の制御を指示するための指示用データを生成する第一ステップと、前記端末装置が備えるウェブブラウザからの閲覧要求を受け付けて、要求元のウェブブラウザに対して前記指示用データを送信する第二ステップとを含み、前記指示用データは、前記ウェブブラウザにより閲覧可能なデータ形式をしていることを特徴とする。
【００３０】
この制御方法において、前記指示用データは、前記貨幣取引処理機が備える貨幣取引処理機能の実行を指示可能なデータであり、前記貨幣取引処理機能は、貨幣を入金する入金処理機能と、貨幣を出金する出金処理機能と、前記出金処理機能により出金される貨幣の補充する補充処理機能と、前記貨幣処理機内の貨幣を回収する回収処理機能との少なくとも一つを含むものとしても構わない。
【００３１】
また、前記端末装置が備えるウェブブラウザからの閲覧要求を受け付けて、要求元のウェブブラウザに対して、前記貨幣処理機内の貨幣残高を示す貨幣残高情報と、貨幣取引の履歴を示す取引履歴情報と前記貨幣処理機を動作させるにあたり必要な設定情報との少なくとも一つを取得して前記端末装置に送信する第三ステップを含むものとしても構わない。
【００３２】
また、前記端末装置から前記通信網を通じて受信した第一登録用情報と、前記登録情報を受信してから予め定められた時間内に前記貨幣処理機に入力された第二登録用情報とを比較し、前記第一登録用情報と前記第二登録用情報とが一致した場合に、前記ウェブサーバ部が備える各種機能を前記端末装置にて利用可能とする第四ステップを含むものとしても構わない。
【発明の効果】
【００３３】
本発明によると、端末装置にインストールされた一般的なウェブブラウザアプリケーション（以下、「ブラウザ」と言う）から貨幣処理機の制御を行うことができる。よって、従来の貨幣処理機システムと異なり、システムの仕様変更を行う際に端末装置側の変更、例えばドライバのインストールやアプリケーションの追加等を行う必要がない。このため、仕様変更を容易に行うことができ、コストダウンやシステム構築者の負担を軽減することができる。
【００３４】
また、一般的なイーサネット（登録商標）の規格を用いたＬＡＮ（Local Area Network）等により端末装置と貨幣処理機を接続するため、従来の通信環境を利用して容易にシステムを構築することができる。また、理論上、貨幣処理機に接続可能な端末装置の台数に制限がないため、貨幣処理機と端末装置とが一対多の関係となる運用方式をとることができる。
【００３５】
また、端末装置との通信をＨＴＴＰプロトコルやＨＴＴＰＳプロトコルに則って行うため、ウェブサーバ部を特定のベンダソフトに依存しない、例えばオープンソース系のソフトウェアで構築することが可能である。このため、システム構築のコストの低減が可能であると共に、メンテナンスを容易にすることができる。
【００３６】
また、役席者の承認が必要な処理が発生した場合に、役席者の端末装置にインストールされているブラウザを使用して承認を行うことができる。また、過去に行った承認に関する履歴情報をブラウザから参照することができる。このため、役席者は承認や承認履歴の確認のたびに貨幣処理機まで移動する必要がなく、役席者の作業負担を軽減することができる。また、ＩＤカードによる承認のように、カードリーダー等の部材を新たに設ける必要がないため、コストの増加を抑えることができる。
【００３７】
また、出金処理時に、出金処理を指示した使用者及び端末装置を、ホスト名（＝端末識別情報）、ログイン画面で入力された使用者名（＝端末使用者情報）、ＭＡＣアドレス、及びＩＰアドレスを用いて一意に特定する。そして特定した端末装置に対応するパスワードが貨幣処理機に直接入力されることによって、出金口の開口が行なわれる。このため、端末装置が複数台接続されている運用形態であっても、貨幣の取り違いを防ぐことができる。また、何れの端末装置が貨幣処理機を占有しているかを判別することができるため、排他制御を確実かつ容易に行うことができる。
【００３８】
また、貨幣処理機が端末装置を特定する際に、その端末装置が、役席者が使用する役席者端末装置であるか、或いはテラー等の一般使用者が使用する一般端末装置であるかの判別を行う。一般端末装置から役席者承認の必要な処理の指示を受け付けた場合、役席者端末装置に対して通知を行う。このため、役席者の承認処理を迅速に行うことができる。
【００３９】
また、貨幣処理機を制御可能な端末装置を貨幣処理機に登録する際に、端末装置側と貨幣処理機側の両方の操作を組み合わせて登録処理を行う。このため、悪意ある第三者が外部の端末装置から貨幣処理機の制御を行おうとしても、外部の端末装置を貨幣処理機に登録することができないため、乗っ取りを防止することができる。
【００４０】
また、貨幣処理機にブラウザが搭載されており、テラーはこのブラウザを用いて貨幣処理機の制御を行うことができる。このため、貨幣処理機の仕様変更に伴い貨幣処理機の表示部や操作部に変更を加える必要がある場合であっても、部材の交換等を行う必要がない。従って仕様変更時のコストを低減することができる。
【発明を実施するための最良の形態】
【００４１】
以下に本発明の実施形態を、図面を参照しながら説明する。なお以下では、本実施形態の貨幣処理機として、紙幣及び硬貨の入出金が可能な貨幣入出金機を代表して説明する。この貨幣入出金機は、例えば銀行などの金融機関の受付カウンターに設置され、テラーにより操作されるものである。
【００４２】
〈１．機械構成について〉
まず、本実施形態の貨幣入出金機１１（＝貨幣処理機）の機械的な構成について、その外観斜視図となる図１を参照して説明する。図１に示すように、本実施形態の貨幣入出金機１１は装置本体１２を有する。装置本体１２は縦型で、装置幅方向（前面から見て左右方向）の寸法が小さく、装置奥行き方向（前面から見て前後方向）に長く構成されている。装置本体１２の上面手前側から前面上部側にかけて処理ユニット群１３が配設されている。
【００４３】
処理ユニット群１３の上面手前側の幅方向中央位置には、上方に向けて開口された硬貨入金口１４が形成されている。この硬貨入金口１４は、シャッタ１５で自動開閉される。そしてこのシャッタ１５の開放により、硬貨の投入が可能となっている。
【００４４】
処理ユニット群１３の前面最上部の幅方向中央位置、且つ硬貨入金口１４の前側には、斜め上方に向けて開口された紙幣入金口１６が形成されている。この紙幣入金口１６は、シャッタ１７で自動開閉される。そしてこのシャッタ１７の開放により、紙幣の投入が可能となっている。なお紙幣は、紙幣の長手方向を装置幅方向に、紙幣の短手方向を装置奥行き方向にそれぞれ合わせて、紙幣入金口１６に挿入される。
【００４５】
処理ユニット群１３の前面の幅方向中央位置でかつ紙幣入金口１６の下方には、斜め上方に向けて開口された紙幣出金口１８が形成されている。この紙幣出金口１８は、シャッタ１９で自動開閉される。そしてこのシャッタ１９の開放により、装置内から払い出された紙幣を紙幣出金口１８から取り出すことが可能となっている。
【００４６】
処理ユニット群１３の前面の幅方向中央位置でかつ紙幣出金口１８の下方には、前方に向けて開口されたリジェクトボックス取出口２１が形成され、このリジェクトボックス取出口２１内にリジェクト紙幣を収納するリジェクトボックス２２が着脱可能に配置されている。リジェクトボックス取出口２１は、図示しない施錠機構によって施錠、解錠されるように構成されている。
【００４７】
処理ユニット群１３の前面の幅方向左右端位置でかつ紙幣出金口１８の近傍には、左右のテラー用に硬貨出金口２３がそれぞれ形成されている。この各硬貨出金口２３は、装置本体１２の幅方向左右端位置にそれぞれ形成された凹状の硬貨出金ボックス取付部２４に位置され、この硬貨出金ボックス取付部２４には装置内から払い出される硬貨を受け入れる硬貨出金ボックス２５が着脱可能に配置されている。硬貨出金ボックス２５は硬貨出金ボックス取付部２４に装填された状態で図示しない施錠機構によって施錠、解錠されるように構成されている。
【００４８】
処理ユニット群１３の上面の幅方向左右端位置には、左右のテラー用に操作ボタン群２６がそれぞれ配設されている。この操作ボタン群２６の近傍には、左右のテラーが貨幣の入出金処理等を行った際の各処理ユニットの占有状態を示す占有ランプ２７がそれぞれ配設されている。占有ランプ２７は例えば、対応する各処理ユニットが占有されている場合に点灯、占有されていない場合に消灯する等、必要に応じて点灯、消灯されるように構成されている。
【００４９】
処理ユニット群１３の上面右側には、表示パネル２８が配設されている。表示パネル２８には例えば、トラブル時のメッセージやガイダンスメッセージなどが表示される。また表示パネル２８は、内部にタッチパネルモジュールを含むＬＣＤから構成される形態であってもよい。これによれば、情報の表示のみならず、タッチパネルによる各種操作、例えば紙幣及び硬貨の装填や締上収集等の処理選択、或いは処理ユニット選択等の操作が可能である。
【００５０】
次に、貨幣入出金機１１内部の機械的な構成について、概略断面図となる図２を参照して説明する。図２に示すように、本実施形態の貨幣入出金機１１は下部ユニット３１と上部ユニット３２とを有し、下部ユニット３１と上部ユニット３２とは共に引出可能に構成されている。
【００５１】
図２において、紙幣処理ユニット４１は、入金紙幣を出金紙幣に循環使用するものであり、装置本体１２内に配設されている。紙幣処理ユニット４１は紙幣搬送部４２、紙幣識別部４３、金種別のスタッカ４４ａ〜４４ｃ、及び複数のカセット４５ａ、４５ｂを有する紙幣カセット３３を備えている。
【００５２】
紙幣搬送部４２は、紙幣入金口１６に投入される入金紙幣の入金処理と、紙幣出金口１８へ払い出す出金紙幣の出金処理とに応じて紙幣を搬送する。紙幣搬送部４２は紙幣を双方向へ搬送可能なベルト機構やローラ機構等によって構成されている。なお以下では、紙幣入金口１６から紙幣が搬送される方向に対応した方向を「順送り方向」といい、この順送り方向と反対方向を「逆送り方向」という。
【００５３】
紙幣搬送部４２は、紙幣入金口１６から紙幣を受け入れて１枚ずつ繰り出す紙幣入金部５１と、この紙幣入金部５１から繰り出される紙幣を搬送する入金搬送路５２と、この入金搬送路５２から紙幣を受け入れて搬送する循環搬送路５３とから構成されている。また循環搬送路５３から各スタッカ４４ａ〜４４ｃ、及び各カセット４５ａ、４５ｂに対して順送り方向に紙幣を搬送する搬送路として、導入搬送路５４がそれぞれ形成されている。また各スタッカ４４ａ〜４４ｃ、及び各カセット４５ａ、４５ｂから循環搬送路５３に対して紙幣を逆送り方向に導出する搬送路として、導出搬送路５５がそれぞれ形成されている。
【００５４】
また循環搬送路５３から紙幣出金口１８に紙幣を搬送する出金搬送路５６と、循環搬送路５３からリジェクトボックス２２にリジェクト紙幣を搬送するリジェクト搬送路５７とが形成されている。この出金搬送路５６で搬送されてくる紙幣を集積するとともに集積された紙幣を紙幣出金口１８から前方へ突出移動させるのが紙幣出金部５８である。また、循環搬送路５３の途中において紙幣の表裏を反転させるのが表裏反転部５９である。
【００５５】
各スタッカ４４ａ〜４４ｃは、紙幣の全金種に対応して金種毎に並列に配設されており、紙幣搬送部４２の循環搬送路５３から対応する導入搬送路５４を通じて金種別に紙幣を受け入れて収納する。また収納された紙幣を導出搬送路５５を通じて循環搬送路５３に繰出可能に構成されている。
【００５６】
〈２．機能構成について〉
次に、上述のような機械構成を備えた貨幣入出金機１１の機能構成について、図３の機能ブロック図を参照して説明する。図３に示すように、本実施形態の貨幣入出金機１１は、貨幣入出金機１１の各部の動作制御を行う制御部６１と、貨幣入出金機１１が保持する各種データを一時的に記憶するメモリ６２と、貨幣入出金機１１を直接操作するための操作ボタン群２６（図１）からなる操作部６３と、貨幣入出金機１１が保持する各種データを表示パネル２８（図１）を用いて表示する表示部６４と、図１及び図２に示した各種メカからなる機構部６５と、貨幣入出金機１１が保持する各種データを記憶する記憶部６６と、オープンソース系のＯＳのカーネルを用いた制御基板においてプログラムを実行することによりウェブサーバとしての働きをするウェブサーバ部６７と、通信インタフェース部６８と、ウェブクライアント部６９と、を備える。
【００５７】
なお記憶部６６はその内部に、各スタッカ４４ａ〜４４ｃに収納されている貨幣の残高を示す貨幣残高情報８１と、現時点から所定の時間を遡った日時までに行った取引に関連する情報を示す取引履歴情報８２と、貨幣入出金機１１を運用するのにあたって必要となる各種設定に関する情報、例えば通信インタフェース部６８のアドレス情報や、役席者承認が必要な処理の種別等を示す設定情報８３と、貨幣入出金機１１の全機能を利用可能な役席者及び役席者が使用する端末装置を示す役席者情報８４（＝管理者情報）と、貨幣入出金機１１の一部機能を利用可能な一般使用者及び一般使用者が使用する端末装置を示す一般使用者情報８５とを記憶している。
【００５８】
役席者情報８４及び一般使用者情報８５は、複数の固有情報９０からなる情報である。固有情報９０は、端末装置のホスト名等を示す端末識別情報９１と、端末装置を使用する使用者を示す端末使用者情報９２と、端末装置に割り振られたＩＰアドレスを示すＩＰアドレス９３と、端末装置のネットワークカードに固有のＭＡＣアドレスを示すＭＡＣアドレス９４と、端末装置が貨幣入出金機１１の制御を行う際に事前に入力する必要があるパスワードを示したパスワード９５と、端末装置を貨幣入出金機１１に新規登録する際に一時的に使用するワンタイムパスワードである特定登録情報９６（＝第一登録用情報）と、を含むように構成されている。
【００５９】
またウェブサーバ部６７は、制御部６１に対して各種貨幣取引処理を指示可能な貨幣取引処理機能７１と、記憶部６６から貨幣残高情報８１、取引履歴情報８２、及び設定情報８３を取得してＨＴＭＬデータ等を生成し、通信インタフェース部６８を用いて外部の端末装置に送信可能な情報表示処理機能７２とを備えている。
【００６０】
貨幣取引処理機能７１は、硬貨入金口１４や紙幣入金口１６に入れられた貨幣を搬入して収納することを制御部６１に指示する入金処理機能７１ａと、紙幣出金口１８や硬貨出金口２３へ貨幣を搬送して取り出し可能とすることを制御部６１に指示する出金処理機能７１ｂと、装置外部から各スタッカ４４ａ〜４４ｃへ貨幣を補充することを制御部６１に指示する補充処理機能７１ｃと、各スタッカ４４ａ〜４４ｃから貨幣を回収して装置外部へ取り出すことを制御部６１に指示する回収処理機能７１ｄとを含んでいる。
【００６１】
ウェブサーバ部６７は、通信インタフェース部６８により接続された端末装置との間でＴＣＰ／ＩＰやＨＴＴＰ等のプロトコルに則って通信を行う。これにより、ウェブサーバ部６７が備える上述の各機能を端末装置から実行するための指示用データを送信する。指示用データは少なくとも、上述の各機能の何れを実行するかを選択するメニュー画面（図５）や各機能の詳細指示画面を端末装置のブラウザに表示して指示を待ち受けるためのデータであり、例えばテキストデータ、画像データ、ＣＧＩデータ等から構成される。この指示用データにより表示された画面において使用者が操作を行うことにより、各種指示、例えば出金処理の実行指示等をウェブサーバ部６７に送信することができる。なお指示用データは、例えばインターネットで広く普及しているＨＴＭＬ方式のデータを中心に構成されていることが望ましい。
【００６２】
なおウェブサーバ部６７は、例えば従来から存在するオープンソース系のＯＳのカーネルを用いた基板等を用いて実現される。この基板は、ＣＰＵ等の演算装置やＲＯＭ等の記憶装置からなる制御基板である。このカーネルが基板に搭載された各種装置や、サーバアプリケーションの実行等を制御することにより、一般のウェブサーバと同等の働きをする。
【００６３】
通信インタフェース部６８は、貨幣入出金機１１をＬＡＮ１１１（図４）等のＩＰ通信網に接続して電気信号の入出力を行う。具体的には例えば、１００ＢＡＳＥ−ＴＸ等の通信規格に則ったＬＡＮ端子等から構成されており、これにツイストペアケーブルを差し込むことによりＩＰ通信網との通信が可能となる。或いは、ＩＥＥＥ８０２．１１等の無線通信規格に則った無線ＬＡＮに接続可能な無線装置を備える形態であってもよい。
【００６４】
ウェブクライアント部６９は、ネットワーク上に存在するウェブサーバやウェブサーバ部６７が提供するウェブサービスを利用可能なブラウザ機能を備えている。具体的には、ＲＯＭ（不図示）等に記憶されているブラウザ用アプリケーションを読み出して実行することにより、表示部６４にブラウザを表示する。使用者はこのブラウザを用いてウェブサーバ部６７にアクセスすることにより、ウェブサーバ部６７が提供する各種機能を利用することができる。
【００６５】
〈３．貨幣処理機システムの構成について〉
次に、上述のような貨幣入出金機１１を含む貨幣処理機システムの構成について、図４のブロック図を参照して説明する。図４に示すように本実施形態の貨幣処理機システムは、貨幣入出金機１１と、ローカル環境において複数の機器を接続するＬＡＮ１１１（＝通信網）と、ＬＡＮ１１１に接続される役席者端末装置１１２（＝固有情報が管理者情報である端末装置）及び一般端末装置１１３（＝固有情報が一般使用者情報である端末装置）と、を備える。なお本実施形態では、役席者端末装置１１２について、ＬＡＮ１１１の内部に少なくとも一台は設置されているものとして説明する。
【００６６】
役席者端末装置１１２及び一般端末装置１１３はその内部にブラウザを備えており、ブラウザが備えるＨＴＴＰ通信機能により貨幣入出金機１１のウェブサーバ部６７と通信を行うことが可能である。これによりウェブサーバ部６７が生成した指示用データに基づく各画面が端末装置のブラウザ上に表示され、その内容に従って使用者は各種処理の指示を送信することができる。
【００６７】
役席者端末装置１１２は、役席者が使用し、貨幣入出金機１１の全機能を利用可能な端末である。通常の貨幣入出金処理の他に、役席者承認が必要な処理の承認や、貨幣入出金機１１の各種設定変更等を行うことができる。役席者端末装置１１２が備えるブラウザは内部で定期的に貨幣入出金機１１のウェブサーバ部６７にアクセスしており、承認が必要な処理が発生した場合はその旨を示す画面をブラウザ上に表示する。
【００６８】
上記に示される画面で役席者が識別コード（＝端末使用者情報）或いはパスワード等を入力することにより、承認処理を行うことができる。なお役席者承認が必要な処理の具体例としては例えば、高額出金、代替金種取引、装填枚数処理、障害復旧後の承認等がある。貨幣入出金機１１は記憶部６６に承認内容や承認結果を一定期間保存しており、役席者端末装置１１２のブラウザから参照可能である。
【００６９】
役席者端末装置１１２に関する情報、例えばＩＰアドレスやＭＡＣアドレスは、図３に示すように記憶部６６の役席者情報８４に記憶されている。また一般使用者端末１１３に関する情報は一般使用者情報８５に記憶されている。端末装置から通信リクエストを受けたウェブサーバ部６７は、両情報の固有情報９０に含まれるＩＰアドレス９３或いはＭＡＣアドレス９４等を参照することにより、通信リクエストの送信元が役席者端末装置１１２であるか、或いは一般端末装置１１３であるかの判別を行う。
【００７０】
なお、ＩＰアドレスやＭＡＣアドレスで端末装置を判別するのではなく、ウェブサーバ部６７が識別コードやパスワードといった使用者情報の入力を要求するＨＴＭＬデータを生成して端末装置に送信し、それに対して入力された情報に基づいて、その端末装置から利用できる機能を決定する形態であってもよい。この場合、図３に示す端末使用者情報９２及びパスワード９５を参照することにより、リクエストを行った使用者が一般使用者であるか、或いは役席者であるかの判別を行う。
【００７１】
次に端末装置に表示されるメニュー画面の一例を、図５の画面図を用いて説明する。図５のメニュー画面１３１は、ウェブサーバ部６７に対して端末装置のブラウザがアクセスした場合に、端末装置が備えるディスプレイに表示される画面を示したものである。この画面においては、貨幣入出金機１１の持つ機能、例えば入金処理や出金処理の実施を指示することができる。
【００７２】
このため端末装置は、貨幣入出金機１１の制御を行うためにブラウザ以外のソフトウェアをインストールする必要がない。また、システムのバージョンアップを行う場合に、端末装置側のバージョンアップは必要なく、配信する指示用データを変更することで最新の機能を使用することができる。
【００７３】
〈４．メカ処理について〉
次に、本実施形態の貨幣処理機システムにおける貨幣入出金機１１のメカ処理について、図６のフロー図を参照して説明する。図６は、貨幣入出金機１１が、役席者端末装置１１２及び一般端末装置１１３の備えるブラウザからのリクエストを受けて実施するメカ処理の処理フローを示している。
【００７４】
図６に示すように、ウェブサーバ部６７が端末装置より通信リクエストを受け付けたのを検知すると（ＳＴＥＰ１）、まず情報表示処理機能７２により通信リクエストに応じた指示用データを生成し、通信インタフェース部６８を用いてリクエスト元の端末装置へ送信する（ＳＴＥＰ２）。
【００７５】
この結果、端末装置の画面には図５に示すようなメニュー画面１３１が表示される。使用者はこのメニュー画面１３１を見て端末装置の操作を行うことにより、メニュー画面１３１に表示されている各種処理を貨幣入出金機１１に対して指示することができる。この端末装置からの指示をウェブサーバ部６７が受信すると（ＳＴＥＰ３）、指示に応じたメカ処理の実行を制御部６１に対して指示する（ＳＴＥＰ４）。なお、ＳＴＥＰ３において、所定時間経過しても端末装置からの指示を受信しなかった場合、本処理を終了する。
【００７６】
例えば端末装置においてメニュー画面１３１の「１．入金」が選択された場合、図１に示すシャッタ１７の開口や、図２に示す紙幣入金部５１から各スタッカ４４ａ〜４４ｃへの紙幣の搬送等に関する処理が制御部６１により行われる。
【００７７】
上記に示したメカ処理が実行された後、情報表示処理機能７２はその処理結果を示すＨＴＭＬデータを生成してリクエスト元の端末装置へ送信し（ＳＴＥＰ５）、本処理を終了する。なお、メニュー画面１３１において指示可能な処理の種別は図５の例に限定されるものではなく、例えば貨幣入出金機１１の各種設定情報の変更やメンテナンスの実施等を指示できる形態であってもよい。
【００７８】
〈５．承認処理について〉
次に、本実施形態の貨幣処理機システムにおける役席者の承認処理について、図７及び図８の画面図と、図９のフロー図とを参照して説明する。図７は、役席者の承認が必要な処理が発生した際に、役席者端末装置１１２に表示される役席者承認画面１３２の一例である。また図８は、貨幣入出金機１１の表示部６４に表示される承認待ち画面１３３の一例である。また図９は、上記処理が発生した際に、ウェブサーバ部６７が役席者端末装置１１２との間で実施する承認処理の処理フローを示している。
【００７９】
図９に示す処理フローは、ウェブサーバ部６７が、役席者端末装置１１２或いは一般端末装置１１３からログイン処理の要求を検知することにより開始される（ＳＴＥＰ１１）。ログイン処理の要求は、ウェブサーバ部６７が提供する特定の画面、例えばログイン画面を表示するためのＵＲＬ（Uniform Resource Locator）に対してブラウザからアクセスすることにより行う。この要求を受けた情報表示処理機能７２は、ログイン画面を表示するための指示用データをリクエスト元の端末装置に送信する。
【００８０】
上記の指示用データを受信した端末装置はこれを用いてブラウザ上にログイン画面を表示し、使用者名とパスワードの入力待ち状態となる。この二つが入力されて貨幣入出金機１１へ送信されると、制御部６１は予め記憶部６６に記憶さている端末使用者情報９２及びパスワード９５と一致するかを判定し、一致する場合はログインを許可する。また併せて、特定した端末使用者情報９２を含む固有情報９０が、役席者情報８４に含まれるか、或いは一般使用者情報８５に含まれるかを判定する。この結果によって、ログインした使用者が役席者であるか、或いは一般使用者であるかを判断する。なお判断結果は、メモリ６２に記憶される。
【００８１】
次にウェブサーバ部６７は、ログイン済みの端末装置から何らかの指示を受け付けたかどうかの判定を行う（ＳＴＥＰ１２）。指示を受け付けないまま、あらかじめ定められた所定時間が経過した場合（ＳＴＥＰ１３）、強制的にログアウト処理を行い（ＳＴＥＰ１４）、本処理を終了する。
【００８２】
ＳＴＥＰ１２において所定時間内に指示を受け付けた場合、制御部６１は受け付けた指示が役席者の承認が必要な処理であるかどうかの判定を行う（ＳＴＥＰ１５）。なお、どの処理を役席者承認の対象とするかは、運用形態に応じて適宜設定変更可能であることが望ましい。
【００８３】
ＳＴＥＰ１５において、役席者の承認が必要な処理ではないと判定された場合、制御部６１は指示された処理を実行し（ＳＴＥＰ２０）、本処理を終了する。逆に役席者の承認が必要な処理であると判定された場合、リクエスト元が一般使用者であるか、あるいは役席者であるかの判定を行う（ＳＴＥＰ１７）。
【００８４】
この判定は例えば、先述のＳＴＥＰ１１においてメモリ６２に記憶された判断結果を参照して行う。或いは、通信リクエストに含まれるＭＡＣアドレスやＩＰアドレスと、記憶部６６に記憶されている各固有情報９０を照らし合わせて、両アドレスが役席者情報８４に含まれているか或いは一般使用者情報８５に含まれているかによって判定する形態であってもよい。また、上記二つの方法を組み合わせる形態であってもよい。
【００８５】
判定の結果、役席者であると判定された場合、制御部６１は指示された処理の実行を行い（ＳＴＥＰ２０）、本処理を終了する。逆に一般使用者であると判定された場合、役席者に対して承認を要求する通知を行う（ＳＴＥＰ１８）。
【００８６】
具体的には例えば、ＳＴＥＰ１７において一般使用者であると判定された時点で、貨幣入出金機１１の表示部６４に、図８に示す承認待ち画面１３３を表示する。承認待ち画面１３３には、タッチパネル方式の役席者承認ボタン１３３ａ及び識別コード入力部１３３ｂが含まれている。使用者は識別コード入力部１３３ｂを用いて端末装置毎（或いは使用者毎）の識別コードを入力した後、役席者承認ボタン１３３ａを押下する。
【００８７】
この結果、役席者端末装置１１２に対する通知が行われ、図７に示す役席者承認画面１３２が役席者端末装置１１２のブラウザ上に表示される。役席者承認画面１３２において、役席者が図７（ｂ）に示すようにパスワードを入力して送信ボタン１３２ａを押下すると、ウェブサーバ部６７に対して承認通知が送信される。
【００８８】
ＳＴＥＰ１８の後、制御部６１は、役席者から承認の通知を検知したかどうかの判定を行う（ＳＴＥＰ１９）。検知できない場合、ＳＴＥＰ１９を繰り返し行う。なお、ＳＴＥＰ１９を所定回数行っても承認通知が検知されなかった場合、例えば出金処理であれば、出金口を封鎖状態に移行させることが望ましい。逆に承認通知が検知された場合、制御部６１は指示された処理を実行し（ＳＴＥＰ２０）、本処理を終了する。
【００８９】
以上のように、役席者の承認が必要な処理が発生した場合に、役席者は承認が必要である旨を確実に知ることができると共に、席を立つことなく承認処理を行うことが可能である。
【００９０】
〈６．排他制御処理について〉
次に、本実施形態の貨幣処理機システムにおける排他制御処理について、図１０の画面図と、図１１のフロー図とを参照して説明する。図１０は、貨幣入出金機１１の機構部６５を一時的に占有する処理が発生した際に、貨幣入出金機１１の表示部６４に表示される状態表示画面１３４の一例である。図１１は、貨幣入出金機１１を一時的に占有する処理が発生した際に、その他の端末装置からのアクセスを拒否するための排他制御処理の処理フローを示している。なお本実施形態では、占有を必要とする処理として紙幣出金口１８からの紙幣の出金処理を例として説明する。
【００９１】
図１１に示す処理フローは、ウェブサーバ部６７が、役席者端末装置１１２或いは一般端末装置１１３から機構部６５を一時的に占有する処理、この例では出金処理の要求を検知することにより開始される（ＳＴＥＰ３１）。この要求を検知した場合、制御部６１は貨幣入出金機１１を占有モードに移行させる（ＳＴＥＰ３２）。
【００９２】
占有モードにおいては、その他の端末装置から占有を必要とする新たな処理の要求を受けても拒否し、占有モード中であることを示す通知を行う。なお、占有モード中であっても、例えば貨幣入出金機１１が保持する情報の表示処理のように、占有を必要としない処理に関しては通常通り指示を受け付けることが可能である。
【００９３】
占有モードに移行した後、制御部１１は機構部６５を用いた出金処理の実施を行う。この結果スタッカ４４ａ〜４４ｃから紙幣出金口１８へ、要求された金額の紙幣が搬送される（ＳＴＥＰ３３）。この際、表示部６４には図１０（ａ）に示すような状態表示画面１３４が表示され、出金処理中であることが示される。
【００９４】
次に制御部６１は、紙幣の搬送が完了してから、予め定められた所定時間が経過したかどうかの判定を行う（ＳＴＥＰ３４）。所定時間が経過している場合、後述するＳＴＥＰ４６へ移行し、出金貨幣の取り出しが行われないまま放置状態となっていることを示す通知を役席者に対して行う。所定時間が経過していない場合、図１０（ｂ）に示すように、パスワード入力待ちを示す状態表示画面１３４を表示部６４に表示し、入力待ち状態となる（ＳＴＥＰ３５）。
【００９５】
この画面において、タッチパネル方式の入力部１３４ａを用いてパスワードが入力されると、制御部６１は入力されたパスワードが所定のパスワードと一致するかの判定を行う（ＳＴＥＰ３６）。一致する場合、図１０（ｃ）に示すように端末装置毎（或いは使用者毎）の識別コードの入力待ち状態となる（ＳＴＥＰ３８）。この画面において、タッチパネル方式の入力部１３４ａを用いて識別コードが入力されると、制御部６１は識別コードが記憶部６６にあらかじめ記憶されているものと一致するかを判定する（ＳＴＥＰ３９）。一致する場合はシャッタ１９の開口を行い（ＳＴＥＰ４０）、紙幣の取り出しを可能とする。
【００９６】
なお、ＳＴＥＰ３６及びＳＴＥＰ３９においてパスワード或いは識別コードが一致しなかった場合、不一致回数が所定回数を超過するかの判定を行い（ＳＴＥＰ３７）、超過する場合は後述するＳＴＥＰ４５に移行して紙幣出金口１８の封鎖を行う。超過しない場合は、先述のＳＴＥＰ３４に再び移行する。
【００９７】
ＳＴＥＰ４０により紙幣出金口１８が開口された状態で出金紙幣が取り出されたことが検知されると（ＳＴＥＰ４１）、制御部６１はシャッタ１９の閉口を行い（ＳＴＥＰ４２）、占有モードの解除を行ったのち（ＳＴＥＰ４３）、本処理を終了する。なお紙幣の取り出しの検知は、紙幣出金口１８の内部に供えられたセンサー（不図示）等を用いて行う。
【００９８】
ＳＴＥＰ４１において所定時間を経過しても紙幣の取り出しが検知されなかった場合（ＳＴＥＰ４４）、制御部６１は紙幣出金口１８の封鎖を行う（ＳＴＥＰ４５）。そして役席者に対して、貨幣の取り忘れにより貨幣入出金機１１が占有状態のまま放置されていることを、ウェブサーバ部６７を用いて通知する（ＳＴＥＰ４６）。
【００９９】
この通知を受けた役席者が紙幣出金口１８の封鎖を解除することにより、シャッタ１９の開口及び占有モードから通常モードへの移行が行われ、紙幣出金口１８から出金貨幣の取り出しが可能となる（ＳＴＥＰ４７）。なお役席者による封鎖の解除は、例えば役席者端末装置１１２のブラウザ上に表示された役席者承認画面を用いて行ってもよいし、或いは役席者が貨幣入出金機１１の操作部６３を用いて行ってもよい。これにより、所定時間を超えて出金貨幣が放置された場合でも、その他の端末装置から貨幣入出金機１１を利用できる状態に復旧することができる。
【０１００】
〈７．端末登録処理について〉
次に、本実施形態の貨幣処理機システムにおける新規端末装置の登録処理について、図１２のブロック図と、図１３のフロー図とを参照して説明する。図１２は、ＬＡＮ１１１に新規の端末装置である一般端末装置１１３ａが接続された状態のネットワーク構成を示している。また図１３は、一般端末装置１１３ａから貨幣入出金機１１の制御を行うために事前に必要とされる端末登録処理の処理フローを示している。
【０１０１】
図１３に示す処理フローは、制御部６１が、新規端末を登録するための状態である登録受付状態への移行指示を検知した際に開始される（ＳＴＥＰ５１）。登録受付状態への移行指示は、例えば操作部６３を用いた所定の操作により発行される。なお、端末装置のように貨幣入出金機１１に外部接続される装置からの指示によっては、登録受付状態への移行が不可能であることが望ましい。これにより、使用者が貨幣入出金機１１の傍に立ち会わない限り端末登録処理が行えないため、セキュリティの強化を図ることができる。
【０１０２】
登録状態への移行指示を受け付けた制御部６１は登録受付状態に移行し（ＳＴＥＰ５２）、一般端末装置１１３ａからの端末登録情報及びワンタイムパスワードの受信を待ち受ける（ＳＴＥＰ５３）。なおワンタイムパスワードとは端末登録時に一時的に使用するパスワードであり、登録済みの端末装置がログイン時に使用するパスワード９５とは異なるものである。
【０１０３】
登録受付状態においては、一般端末装置１１３ａからウェブサーバ部６７が提供する端末登録用画面のＵＲＬにアクセスすることにより、ブラウザ上に端末登録画面が表示される。この画面において使用者は、端末登録情報及びワンタイムパスワードを入力し、ウェブサーバ部６７へ送信することが可能である。
【０１０４】
端末登録情報とは、ネットワーク上で一般端末装置１１３ａを一意に特定するために必要な情報であり、例えばＷｉｎｄｏｗｓ（登録商標）システムのドメインにおけるホスト名や、ＩＰアドレスやＭＡＣアドレス、或いは一般端末装置１１３ａを使用する使用者の名称や識別コードを用いる。なお、端末登録情報にＩＰアドレスやＭＡＣアドレスのみを用いる場合は、端末登録処理中に送受信する通信パケットの中にこれらのデータが含まれているため、端末登録情報の入力を不要とした形態であってもよい。
【０１０５】
受信待受状態に移行後、所定時間を経過しても端末登録情報及びワンタイムパスワードを受信しなかった場合（ＳＴＥＰ５４及びＳＴＥＰ５５）、制御部６１は受信待受状態を解除して通常状態に移行し（ＳＴＥＰ６１）、本処理を終了する。逆に所定時間内に端末登録情報及びパスワードを受信した場合（ＳＴＥＰ５４）、表示部６４等を用いて使用者にワンタイムパスワードの入力を要求し、入力待ち状態に移行する（ＳＴＥＰ５６）。
【０１０６】
入力待ち状態において入力されたワンタイムパスワードと、先述のＳＴＥＰ５４において受信したワンタイムパスワードが一致した場合、制御部６１は一般端末装置１１３ａを本貨幣処理機システムの構成要素として登録する。具体的には、受信した端末登録情報から端末識別情報９１〜パスワード９５を生成し、これらを含む固有情報９０を新規に作成して一般使用者情報８５に追加する。
【０１０７】
この結果、以降は一般端末装置１１３ａからの貨幣入出金機１１の制御が可能となる。なお、ワンタイムパスワードを特定登録情報９６として記憶しておくことも可能である。これにより例えば、同一のワンタイムパスワードを複数回使用できないようにすることも可能である。
【０１０８】
上記の登録処理が完了すると、ウェブサーバ部６７は登録結果を示す画面を表示するためのＨＴＭＬデータを一般端末装置１１３ａに送信する（ＳＴＥＰ６０）。そして制御部６１は貨幣入出金機１１を通常状態に移行させ、本処理を終了する（ＳＴＥＰ６１）。
【０１０９】
ＳＴＥＰ５６に再び戻ると、入力待ち状態において入力されたワンタイムパスワードと、先述のＳＴＥＰ５４において受信したワンタイムパスワードが一致せず、かつ不一致となった回数が所定回数を超過した場合（ＳＴＥＰ５８）、一般端末装置１１３ａの登録は行わず、通常状態に移行して本処理を終了する（ＳＴＥＰ６１）。
【０１１０】
以上のように、端末装置の登録は、貨幣入出金機１１側の操作（＝登録モードへの移行、ワンタイムパスワードの入力）と、一般端末装置１１３ａ側の操作（＝端末登録情報及びワンタイムパスワードの送信）とを組み合わせて行う。従って登録を行う使用者が、貨幣入出金機１１の近傍に立ち会わない限り登録を行うことができない。このため例えば、外部の悪意ある第三者が外部の端末装置を本貨幣処理機システムに登録し、本貨幣処理機システムを乗っ取ることを防止することができる。
【０１１１】
また、ワンタイムパスワードを入力できる時間を限定しているため、使用者の操作ミスにより登録受付状態の解除がなされなかった場合も、自動的に通常状態に移行できる。また、役席者が貨幣入出金機１１に対して新規登録する端末装置の固有情報９０を手動で登録する必要がないため、登録作業を容易に行えるとともに、登録ミスの発生を低減させることができる。
【０１１２】
［その他の実施の形態］
以上、好ましい実施の形態及び実施例をあげて本発明を説明したが、本発明は必ずしも上記実施の形態に限定されるものではなく、その技術的思想の範囲内において様々に変形して実施することができる。
【０１１３】
従って本発明は、以下の形態にも適用可能である。
（Ａ）本実施形態においては、ウェブサーバ部６７が、オープンソース系のＯＳのカーネルを用いた基板上でウェブサーバ用プログラムを実行することにより実現されているが、制御部６１が所定の記憶媒体に記憶されているプログラムを実行することによりウェブサーバ部６７の一部または全部の機能と同等の機能を果たす形態であってもよい。
【０１１４】
（Ｂ）本実施形態においては、表示パネル２８にタッチパネル方式のＬＣＤを用いているが、表示パネル２８の面積が小さくタッチパネル方式を採用することが難しい場合は、図１４に示すように表示パネル２８の近傍にコード入力ボタン群１３５を備えて識別コードを入力する形態であってもよい。
【０１１５】
（Ｃ）本実施形態においては、表示パネル２８の内部に識別コード入力部１３３ｂ（図８）や入力部１３４ａ（図１０）のようなタッチパネル方式のボタン群を備えているが、接続される端末装置の台数が少ない場合は、図１５に示すように識別コード入力をワンタッチで行えるコード選択ボタン群１３６を用いる形態でもよい。これにより、識別コードの入力時間を短縮することが可能である。
【０１１６】
（Ｄ）本実施形態においては、出金貨幣の取り忘れによる紙幣出金口１８の封鎖が発生した場合に役席者へ通知を行って解除処理を行っているが、コストアップが許容される範囲内であれば、図１６に示すようなカードリーダー１０２を備え、このカードリーダーに出金処理の指示者のＩＤカード１０３をかざすことによって封鎖の解除を可能とした形態であってもよい。
【０１１７】
（Ｅ）本実施形態においては、ウェブサーバ部から端末装置のブラウザに対して送信する指示用データとしてＨＴＭＬ形式のデータを例に説明しているが、これ以外の形式のデータ、例えばＳＷＦ形式のフラッシュデータや、ＸＭＬデータ等を組み合わせて指示用データとして送信する形態であってもよい。これにより、より多様な操作をブラウザから行うことができる。
【産業上の利用可能性】
【０１１８】
本発明は、銀行や郵便局のように、窓口においてテラーが顧客から預かった貨幣を扱う金融機関等において、貨幣の入出金及び管理を行う貨幣処理機及び貨幣処理機システムに適用可能である。
【図面の簡単な説明】
【０１１９】
【図１】は、本発明の実施形態の貨幣入出金機の構成を示す外観斜視図である。
【図２】は、図１の貨幣入出金機の機械ブロックの構成を示す概略断面図である。
【図３】は、図１の貨幣入出金機の機能部の構成を示すブロック図である。
【図４】は、本発明の実施形態の貨幣処理機システムの構成を示すブロック図である。
【図５】は、図４の貨幣処理機システムにおいて端末装置に表示されるメニュー画面を示す画面図である。
【図６】は、図４の貨幣処理機システムにおいてメカ処理が発生した際の処理フローを示す概略図である。
【図７】は、図４の貨幣処理機システムにおいて端末装置に表示される役席者承認画面を示す画面図である。
【図８】は、図４の貨幣処理機システムにおいて貨幣入出金機に表示される役席者承認待ち画面を示す画面図である。
【図９】は、図４の貨幣処理機システムにおいて役席者承認が発生した際の処理フローを示す概略図である。
【図１０】は、図４の貨幣処理機システムにおいて貨幣入出金機に表示される状態表示画面を示す画面図である。
【図１１】は、図４の貨幣処理機システムにおいて占有処理が発生した際の処理フローを示す概略図である。
【図１２】は、図４の貨幣処理機システムにおいて端末装置の追加が行われた際の構成を示すブロック図である。
【図１３】は、図４の貨幣処理機システムにおいて端末装置の登録処理が発生した際の処理フローを示す概略図である。
【図１４】は、図１の貨幣入出金機の表示部に関するその他の実施形態を示すブロック図である。
【図１５】は、図１の貨幣入出金機の表示部に関するその他の実施形態を示すブロック図である。
【図１６】は、図１の貨幣入出金機の操作部に関するその他の実施形態を示すブロック図である。
【図１７】は、従来の貨幣処理機システムの構成を示すブロック図である。
【図１８】は、従来の貨幣処理機システムの構成を示すブロック図である。
【符号の説明】
【０１２０】
１１    貨幣入出金機（貨幣処理機）
６１    制御部
６３    操作部
６４    表示部
６７    ウェブサーバ部
６８    通信インタフェース部
６９    ウェブクライアント部
７１    貨幣取引処理機能
７１ａ  入金処理機能
７１ｂ  出金処理機能
７１ｃ  補充処理機能
７１ｄ  回収処理機能
７２    情報表示処理機
８１    貨幣残高情報
８２    取引履歴情報
８３    設定情報
８４    役席者情報（管理者情報）
８５    一般使用者情報
９０    固有情報
９１    端末識別情報
９２    端末使用者情報
９３    ＩＰアドレス
９４    ＭＡＣアドレス
９５    パスワード
９５    特定登録情報（第一登録用情報）
１１１  ＬＡＮ（通信網）
１１２  役席者端末装置（端末装置）
１１３  一般端末装置（端末装置）
【図１】
2008310552.tif 000003
【図２】
2008310552.tif 000004
【図３】
2008310552.tif 000005
【図４】
2008310552.tif 000006
【図５】
2008310552.tif 000007
【図６】
2008310552.tif 000008
【図７】
2008310552.tif 000009
【図８】
2008310552.tif 000010
【図９】
2008310552.tif 000011
【図１０】
2008310552.tif 000012
【図１１】
2008310552.tif 000013
【図１２】
2008310552.tif 000014
【図１３】
2008310552.tif 000015
【図１４】
2008310552.tif 000016
【図１５】
2008310552.tif 000017
【図１６】
2008310552.tif 000018
【図１７】
2008310552.tif 000019
【図１８】
2008310552.tif 000020